(57)【要約】【課題】  各種工具を現在載置されている棚や引き出しをそのまま用いて混在しないようにすることが可能な仕切り具を提供する。【解決手段】  本発明の仕切り具１０は、角柱状または円柱状の柱状体１２と、柱状体１２に設けられた接着面１４とを具備している。なお、接着面１４は、柱状体１２が角柱状であれば、その一面に設けられた平面、また、柱状体１２が円柱状であれば、その一部に設けられた平面となっている。また、柱状体１２は、屈曲に変形可能なポリエチレンフォームまたはウレタンフォームであり、その硬度は各種工具や各種部品の衝突によって変形しても、各種工具や各種部品が柱状体１２を乗り越えない程度となっている。【選択図】図２
2014079869.tif 000002
【特許請求の範囲】
【請求項１】
柱状体と、該柱状体に設けられた接着面とを具備する仕切り具。
【請求項２】
前記接着面は、前記柱状体に設けられた平面であることを特徴とする請求項１に記載の仕切り具。
【請求項３】
前記接着面は、接着テープであることを特徴とする請求項１または請求項２に記載の仕切り具。
【請求項４】
前記柱状体は、変形可能であることを特徴とする請求項１乃至請求項３のいずれか１項に記載の仕切り具。
【請求項５】
前記柱状体は、所定の硬度を有することを特徴とする請求項１乃至請求項４のいずれか１項に記載の仕切り具。
【請求項６】
前記柱状体は、ポリエチレンフォームまたはウレタンフォームであることを特徴とする請求項１乃至請求項５のいずれか１項に記載の仕切り具。
【発明の詳細な説明】
【技術分野】
【０００１】  本発明は、各種工具や部品等を所定の位置に配置することで工具同士や部品同士の混在を防止すると共に、工具や部品の移動や落下を防ぐ仕切り具に関する。
【背景技術】
【０００２】  従来、ペンチやスクリュードライバー等の工具や、ネジやワッシャー等の各種部品を棚上や引き出し等の所定の位置に配置し、工具同士や部品同士の混在を防止する治具が種々提案されている。【０００３】  たとえば、特許文献１に開示される工具整理治具では、仕切りピンを入れるための複数の穴を有する衝立状の本体と、該複数の穴の任意の位置に脱着可能な仕切りピン又は工具掛けピンとを備える構成が開示されている。
【先行技術文献】
【特許文献】
【０００４】
【特許文献１】  特開平１０−１３８１７２号公報
【発明の概要】
【発明が解決しようとする課題】
【０００５】  しかしながら、特許文献１に開示される工具整理治具では、棚上に載置されている各種工具同士が混在しないようにするためには、現在の棚とは別途に複数の穴を有する衝立状の本体を準備しなければならないという課題があった。【０００６】  また、この工具整理治具では、各種部品同士が混在しないようにすることができないという課題もあった。
【課題を解決するための手段】
【０００７】  この発明の目的は、上述した事情に鑑みなされたもので、各種工具を現在載置されている棚や引き出しをそのまま用いて混在しないようにすることが可能な仕切り具を提供することである。【０００８】  また、棚上に載置された各種工具の落下防止と移動防止とを実現する仕切り具を提供することである。【０００９】  上述した課題を解決し、目的を達成するため、この発明に係わる仕切り具は、請求項１の記載によれば、柱状体と、該柱状体に設けられた接着面とを具備する。【００１０】  また、この発明に係わる仕切り具は、請求項２の記載によれば、前記接着面は、前記柱状体に設けられた平面であることを特徴とする。【００１１】  また、この発明に係わる仕切り具は、請求項３の記載によれば、前記接着面は、接着テープであることを特徴とする。【００１２】  また、この発明に係わる仕切り具は、請求項４の記載によれば、前記柱状体は、変形可能であることを特徴とする。【００１３】  また、この発明に係わる仕切り具は、請求項５の記載によれば、前記柱状体は、所定の硬度を有することを特徴とする。【００１４】  また、この発明に係わる仕切り具は、請求項６の記載によれば、前記柱状体は、ポリエチレンフォームまたはウレタンフォームであることを特徴とする。
【発明の効果】
【００１５】  この発明によれば、現在、使用されている棚や引き出しをそのまま利用可能な仕切り具を提供することが可能となる。【００１６】  また、この発明によれば、各種工具同士や各種部品同士が混在しないようにすることが可能な仕切り具を提供することが可能となる。【００１７】  また、この発明によれば、棚面に載置された各種工具や各種部品の落下防止と移動防止が可能な仕切り具を提供することが可能となる。【００１８】  また、この発明によれば、サイズが小さく、かつ数が多い部品を効率よく保管可能な仕切り具を提供することが可能となる。
【図面の簡単な説明】
【００１９】
【図１】  本発明の仕切り具の側面図
【図２】  本発明の仕切り具を用いて各種工具を棚面に載置した斜視図
【発明を実施するための形態】
【実施例】
【００２０】  以下に図面を用いて本発明の仕切り具１０を説明する。図１は、本発明の仕切り具１０の側面図である。図２は、本発明の仕切り具１０を用いて各種工具を棚面に載置した斜視図である。【００２１】  図１に示すとおり、本発明の仕切り具１０は、角柱状または円柱状の柱状体１２と、柱状体１２に設けられた接着面１４とを具備している。【００２２】  接着面１４は、柱状体１２が角柱状であれば、その一面に設けられた平面、また、柱状体１２が円柱状であれば、その一部に設けられた平面となっている。なお、該平面には接着剤が塗布されている、または接着テープが貼り付けられている。また、これらの接着剤または接着テープは貼り付け後の剥離で傷や汚れが付かず、かつ、再度貼り付け可能なものを使用するとより良い。【００２３】  また、柱状体１２は、屈曲に変形可能なポリエチレンフォームまたはウレタンフォームであり、その硬度は各種工具や各種部品の衝突によって変形しても、各種工具や各種部品が柱状体１２を乗り越えない程度となっている。【００２４】  なお、この柱状体１２は、弾性を有するものであれば、各種エラストマーやスポンジ体等の公知の樹脂材料によって形成されていてもよい。【００２５】  このような構成を有する本発明の仕切り具１０の使用方法について、図２を用いて説明する。図２において、２０は各種工具や各種部品を載置する棚で棚面２２を有している。また、棚面２２には、各種工具としてのスクリュードライバー３２とペンチ３４が載置されている。【００２６】  図２において、本発明の仕切り具１０は４本用いられており、そのうち３本は互いに略平行となるように棚面２２に（図２の紙面右斜め上に向かって）貼り付けられてスクリュードライバー３２とペンチ３４の移動防止及び混在防止をしている。【００２７】  また、仕切り具１０の１本は、互いに略平行となるように貼り付けられた３本に略垂直となるように棚面２２に（図２の紙面右斜め下に向かって）貼り付けられてスクリュードライバー３２とペンチ３４の棚２０からの落下防止をしている。【００２８】  なお、この図２においては、本発明の仕切り具１０は直線状に棚面２２に貼り付けているが、屈曲に変形させて、サイズが小さく数の多いネジやワッシャー等を配置するようにしても良い。【００２９】  また、この図２においては、本発明の仕切り具１０は棚面２２に貼り付けているが、引き出しの中に貼り付けて移動防止や混在防止をすることも可能となっている。【００３０】  以上のように、本発明の仕切り具１０は、接着剤または接着テープを用いているので、使用されている棚や引き出しをそのまま利用可能となっている。【００３１】  また、仕切り具１０は、硬度を各種工具や各種部品の衝突によって変形しても各種工具や各種部品が柱状体１２を乗り越えない程度となっているので、各種工具同士や各種部品同士が混在しないようにすることが可能となっている。【００３２】  また、仕切り具１０は、棚面２２の各種工具や各種部品を出し入れする側に貼り付ければ、棚２０からの落下を防止することが可能となっている。【００３３】  また、仕切り具１０は、屈曲に変形可能であるので、サイズが小さく、かつ数が多い部品を効率よく保管するこ��が可能となっている。
【符号の説明】
【００３４】１０・・仕切り具、１２・・柱状体、１４・・接着面、２０・・棚、２２・・棚面、３２・・スクリュードライバー、３４・・ペンチ
【図１】
2014079869.tif 000003
【図２】
2014079869.tif 000004